(57)【要約】【課題】外部の情報を個室スペース内に提供し、十分にリラックスして用を足すことを可能とする。【解決手段】個室スペース６ａ，６ｂ，６ｃに設けられた表示装置２２ａ，２２ｂ，２２ｃと、共通スペース４の順番待ち領域に存在する人体に関連づけられて取り扱われる無線タグの有無を、無線通信を介して認識するタグリーダ２０を有し、このタグリーダ２０の認識結果に応じ表示装置２２ａ，２２ｂ，２２ｃで対応する表示を行うようにする。【選択図】図１
2008126042.tif 000002
【特許請求の範囲】
【請求項１】
仕切部材によって共通スペース及び個室スペースが区画されたトイレルームに設置されるトイレルームの表示システムにおいて、
前記個室スペースに設けられた個室表示手段と、
前記共通スペースのうち、所定の順番待ち領域に存在する人体の有無を認識する共通認識手段と、
この共通認識手段の認識結果に応じ、対応する表示信号を生成して前記個室表示手段に出力する個室表示信号生成手段と
を有することを特徴とするトイレルームの表示システム。
【請求項２】
請求項１記載のトイレルームの表示システムにおいて、
前記共通認識手段は、認識結果に応じて前記順番待ち領域の人体の人数を検出する待ち人数検出手段を備え、
前記個室表示信号生成手段は、前記待ち人数検出手段の検出した人数を表示するための表示信号を生成する
ことを特徴とするトイレルームの表示システム。
【請求項３】
請求項１又は２記載のトイレルームの表示システムにおいて、
複数個の前記個室スペースのそれぞれにおいて各個室スペースに存在する人体の有無を認識する個室認識手段を有し、
各個室スペースの前記個室表示信号生成手段は、当該個室以外の他の個室における前記個室認識手段の認識結果に応じ、対応する表示信号を生成して前記個室表示手段に出力する
ことを特徴とするトイレルームの表示システム。
【請求項４】
請求項３記載のトイレルームの表示システムにおいて、
前記共通スペースの前記順番待ち領域の少なくとも近傍に設けられた共通表示手段と、
複数個の前記個室認識手段の認識結果に応じ、対応する表示信号を生成して前記共通表示手段に出力する共通表示信号生成手段と
を有することを特徴とするトイレルームの表示システム。
【請求項５】
請求項４記載のトイレルームの表示システムにおいて、
前記共通認識手段は１つ設けられており、前記複数個の個室スペースに共通な１つの前記順番待ち領域に並んだ人体の有無を認識することを特徴とするトイレルームの表示システム。
【請求項６】
請求項４記載のトイレルームの表示システムにおいて、
前記共通認識手段は前記複数個の個室に対応して複数個設けられており、各共通認識手段が、各個室スペースごとに設けた前記順番待ち領域に並んだ人体の有無を認識することを特徴とするトイレルームの表示システム。
【請求項７】
請求項１乃至６のいずれか１項記載のトイレルームの表示システムにおいて、
前記共通認識手段は、前記順番待ち領域に存在する人体に関連づけられて取り扱われる無線タグの有無を無線通信を介して認識することを特徴とするトイレルームの表示システム。
【請求項８】
請求項３乃至７のいずれか１項記載のトイレルームの表示システムにおいて、
前記個室認識手段は、前記各個室スペースに存在する人体に関連づけて取り扱われる無線タグの有無を無線通信を介して認識することを特徴とするトイレルームの表示システム。
【発明の詳細な説明】
【技術分野】
【０００１】  本発明は、トイレルームの個室スペースにおいて表示を行うトイレルームの表示システムに関する。
【背景技術】
【０００２】  例えば、駅、デパート、学校、ショッピングセンター、映画館等、多数の人が集合する公的な場所には、水栓及び洗面台を備えた共通スペースとそれぞれが便器を備えた複数の個室スペースとを、仕切部材によって区画したトイレルームが設置される。【０００３】  用を足す人が個室スペース内に入ると、仕切部材によって個室スペース側と共通スペース側との間、あるいは各個室スペース相互間が視覚的に遮断され相互の状態が認識できなくなるため、これを補うためにそれら相互間で各種検出情報等の授受を行う従来技術が既に種々提唱されている。【０００４】  例えば特許文献１には、擬音発生器の無駄な作動を防止する目的で、共通スペース及び各個室スペースに人体検出センサを設け、共通スペースに人が居ないときには２以上の個室スペースに人が居る場合に限り当該個室スペースの擬音発生器を作動させ、共通スペースに人が居るときには入室中の個室スペースの擬音発生器をすべて作動させる構成が開示されている。【０００５】  また、多数の人々のより円滑な利用を図るために、各個室スペースに人がいるか居ないかの検出結果を共通スペース側に設けた表示器に表示するようにした構成も既に提唱されている。【０００６】
【特許文献１】特開２００４−１９７４５９号公報（段落番号００２６〜００２９、図１）
【発明の開示】
【発明が解決しようとする課題】
【０００７】  上記のように公的な場所に設けられたトイレルームでは、多数の人が入れ替わり立ち替わりやってきて利用するため、順番待ちをした後自分の順番が来て個室スペースに入室できたとしても、後に待っている人が多数いるのではないかという心理的圧迫感が生じがちである。【０００８】  そして、実際に当該個室スペースが空くのを待っている人がいるがどうかは個室スペース内の人からはわからないため、いきおい、そそくさと短い時間で用を足さざるを得なくなり、十分にリラックスして用を足すことができない。【０００９】  この結果、精神面でも健康面でも個室スペース利用者にとって好ましくない影響を与える可能性がある。上記の従来技術では、このように個室スペース内の利用者に対し個室スペース外部の情報を提供し、リラックスして用を足せるようにすることについて、特に配慮されていなかった。【００１０】  本発明の目的は、外部の情報を個室スペース内に提供し、十分にリラックスして用を足すことを可能とするトイレルームの表示システムを提供することにある。
【課題を解決するための手段】
【００１１】  上記の目的を達成するために、第１の発明は、仕切部材によって共通スペース及び個室スペースが区画されたトイレルームに設置されるトイレルームの表示システムにおいて、前記個室スペースに設けられた個室表示手段と、前記共通スペースのうち、所定の順番待ち領域に存在する人体の有無を認識する共通認識手段と、この共通認識手段の認識結果に応じ、対応する表示信号を生成して前記個室表示手段に出力する個室表示信号生成手段とを有することを特徴とする。【００１２】  本願第１発明においては、共通認識手段で順番待ち領域に存在する人体の有無を認識し、個室表示信号生成手段でこの認識結果に対応する表示信号を生成して個室表示手段に出力し、個室表示手段で上記認識結果を表示する。これにより、個室表示手段で順番待ち領域に存在する人体の有無を表示することが可能である。したがって、個室スペース内の現利用者は、各個室表示手段を確認することによって、共通スペースにおける所定の順番待ち領域に存在する人の有無を把握することができる。この結果、例えば自分の後に誰も待っていない場合にはそれを確実に認識できるので、焦らずにリラックスして用を足すことができる。【００１３】  第２の発明は、上記第１発明において、前記共通認識手段は、認識結果に応じて前記順番待ち領域の人体の人数を検出する待ち人数検出手段を備え、前記個室表示信号生成手段は、前記待ち人数検出手段の検出した人数を表示するための表示信号を生成することを特徴とする。【００１４】  これにより、個室スペース内の現利用者は、順番待ち領域における人数を個室スペースの個室表示手段で具体的に確認することが可能となるので、共通スペースにおける所定の順番待ち領域に存在する人をさらに詳細に把握することができる。【００１５】  第３の発明は、上記第１又は第２発明において、複数個の前記個室スペースのそれぞれにおいて各個室スペースに存在する人体の有無を認識する個室認識手段を有し、各個室スペースの前記個室表示信号生成手段は、当該個室以外の他の個室における前記個室認識手段の認識結果に応じ、対応する表示信号を生成して前記個室表示手段に出力することを特徴とする。【００１６】  本願第３発明においては、個室認識手段で各個室スペースに存在する人体の有無を認識し、個室表示信号生成手段でこの認識結果に対応する表示信号を生成して個室表示手段に出力し、個室表示手段で上記認識結果を表示する。これにより、個室表示手段で各個室スペースに存在する人体の有無を表示することが可能である。したがって、個室表示手段を確認することにより、当該個室スペース以外の他の個室スペースの空室・満室状況が判るので、もし順番待ち領域に待ち人が出現しても他の個室スペースが先に空いていることが判れば、焦ることなく確実にゆっくりと用を済ませることができる。【００１７】  第４の発明は、上記第３発明において、前記共通スペースの前記順番待ち領域の少なくとも近傍に設けられた共通表示手段と、複数個の前記個室認識手段の認識結果に応じ、対応する表示信号を生成して前記共通表示手段に出力する共通表示信号生成手段とを有することを特徴とする。【００１８】  これにより、各個室スペース以外の順番待ち��域側の待ち人は、各個室スペース以外の順番待ち領域側の共通表示手段で各個室スペースの空室・満室状況が判るので、個室スペースに居る現利用者と共に相互に情報をフル活用することができる。【００１９】  第５の発明は、上記第４発明において、前記共通認識手段は１つ設けられており、前記複数個の個室スペースに共通な１つの前記順番待ち領域に並んだ人体の有無を認識することを特徴とする。【００２０】  これにより、個室スペース内の現利用者は、共通スペース順番待ち領域に一列並びで存在する人の有無を把握することができ、誰も待っていない場合にはそれを確実に認識することができる。【００２１】  第６の発明は、上記第４発明において、前記共通認識手段は前記複数個の個室に対応して複数個設けられており、各共通認識手段が、各個室スペースごとに設けた前記順番待ち領域に並んだ人体の有無を認識することを特徴とする。【００２２】  これにより、個室スペース内の現利用者は、共通スペース順番待ち領域のうち自分の個室の前に存在する人の有無を把握することができ、誰も待っていない場合にはそれを確実に認識することができる。【００２３】  第７の発明は、上記第１乃至第６発明のいずれかにおいて、前記共通認識手段は、前記順番待ち領域に存在する人体に関連づけられて取り扱われる無線タグの有無を無線通信を介して認識することを特徴とする。【００２４】  本願第７発明においては、共通認識手段で無線タグの有無を無線通信を介して認識することにより、順番待ち領域に存在する人体の有無を認識することができる。この結果、個室表示信号生成手段でこの認識結果に対応する表示信号を生成して個室表示手段に出力することで、個室表示手段で順番待ち領域に存在する人体の有無を表示することができる。【００２５】  第８の発明は、上記第３乃至第７発明のいずれかにおいて、前記個室認識手段は、前記各個室スペースに存在する人体に関連づけて取り扱われる無線タグの有無を無線通信を介して認識することを特徴とする。【００２６】  本願第８発明においては、個室認識手段で無線タグの有無を無線通信を介して認識することにより、各個室スペースに存在する人体の有無を認識することができる。この結果、個室表示信号生成手段でこの認識結果に対応する表示信号を生成して個室表示手段に出力することで、個室表示手段で各個室スペースに存在する人体の有無を表示することができる。
【発明の効果】
【００２７】  本発明によれば、共通スペースのうち、個室スペース外部の情報が個室スペース内に提供されるので、十分にリラックスして用を足すことができる。
【発明を実施するための最良の形態】
【００２８】  以下、本発明の一実施形態を、図面を参照しつつ説明する。図１は、本実施形態の適用対象であるトイレルームの全体構造を表す平面図である。【００２９】  図１において、トイレルーム１は、仕切部材２によって、共通スペース４と、この例では３室の個室スペース６ａ，６ｂ，６ｃとに区画されている。仕切部材２には、共通スペース４から各個室スペース６ａ，６ｂ，６ｃに出入りするためのドア８が設けられている。【００３０】  共通スペース４には、外部から出入りするためのドア１５が設けられており、共通スペース４の側壁には洗面鉢１６と水栓１８を設けた洗面台１７が配置されている。また、各個室スペース６ａ，６ｂ，６ｃには便器１０が設置されており、この便器１０の後部上面には、フラッシュ弁１２を備えた給水管１４が接続されている。なお、便器１０はロータンク式でもハイタンク式でもよく、和風便器であってもよい。【００３１】  本実施形態のトイレルームの表示システムは、上記トイレルーム１に設けられるものであり、個室スペース６ａ，６ｂ，６ｃにそれぞれ設けられ、例えばＣＲＴ等の所定の表示手段２６（後述の図３参照）を備えた表示装置２２ａ，２２ｂ，２２ｃ（個室表示手段）と、例えばトイレルーム１の共通スペース４におけるドア１５近傍の壁面に取付けられたタグリーダ２０（共通認識手段）と、上記各表示装置２２ａ，２２ｂ，２２ｃにそれぞれ備えられ、上記タグリーダ２０の認識結果に応じ対応する表示信号を生成して上記表示手段２６へ出力する表示制御装置（図示せず、個室表示信号生成手段）とを有している。【００３２】  図２は上記タグリーダ２０及び無線タグＴによる無線通信系の全体概略を表すシステム構成図である。【００３３】  図２において、無線タグＴは、アンテナ３２とＩＣ回路部３４とを備えた無線タグ回路素子Ｔｐを有している。なお、この無線タグＴは、このトイレルーム１の利用のために用意された専用のものでもよいが、他の目的のために利用者Ｍが各自所持等した汎用のものでもよい。【００３４】  タグリーダ２０は、無線タグ回路素子Ｔｐの上記アンテナ３２との間で無線通信により信号の授受を行うアンテナ３５と、上記アンテナ３５を介し上記無線タグ回路素子ＴｐのＩＣ回路部３４へアクセスする（読み取り又は書き込みを行う）ための高周波回路２８と、無線タグ回路素子Ｔｐから読み出された信号を処理するとともに各種制御を行う制御回路３０とを有する。【００３５】  高周波回路２８は、無線タグ回路素子ＴｐのＩＣ回路部３４の無線タグ情報にアクセスする（読み取り又は書き込みを行う）ための搬送波を発生させ、上記制御回路３０の制御に基づいて上記発生させられた搬送波を変調するとともに増幅し、これをアクセス信号としてアンテナ３５を介し無線タグ回路素子Ｔｐへ送信する。そして、このアクセス信号に応じて無線タグ回路素子Ｔｐから送信（返信）された反射波は、アンテナ３５により受信された後に高周波回路２８にて復調され、必要な信号が取り出されて制御回路３０へ供給されるとともに、その受信信号強度が検出されて制御回路３０へ入力され別途記憶される。なお、アクセス信号は上記のように変調した搬送波に限られず、単なる搬送波のみの場合もある��【００３６】  上記構成のトイレルーム１においては、利用者Ｍが共通スペース４に入室し、所定の順番待ち領域にて待機すると、例えばその所持品に備えられる（あるいはポケット等に入れて所持する等でもよい。要は利用者Ｍの人体に関連づけられて取り扱われれば足りる）無線タグＴ（応答器）に記憶された情報が、無線通信を介し読み取られ、無線タグＴの有無を認識する。そして、タグリーダ２０は、上記読み取り結果（認識結果）に応じた信号を適宜の配線（又は無線通信等でもよい）２４を介し上記表示装置２２ａ，２２ｂ，２２ｃに備えられた表示制御装置へ出力し、各表示制御装置が対応する表示手段へ表示信号を生成し出力することで対応する表示が行われる。【００３７】  図３は、この表示手段２６に表示される表示例を示した説明図である。図３の例では、例えば現時点における待ち人として３人の黒塗り人体記号Ｍ１が表示されている。なお、破線で示される人体記号Ｍ２は共通スペース４には最大であと２名の利用者Ｍが待機する可能性があることを示しているものである。【００３８】  このようにして、各個室スペース６ａ，６ｂ，６ｃ内に居る現利用者は、各表示装置２２ａ，２２ｂ，２２ｃの表示手段２６を確認することで共通スペースにおける順番待ち領域の利用者（待ち人）Ｍの有無（さらにはその人数）を把握することができる。したがって、その人数に応じて（特に、例えば共通スペースに誰も待っていない場合には）、焦らずにリラックスして用を足すことができる。【００３９】  なお、本発明は、上記実施形態に限られるものでなく、その趣旨及び技術的思想を逸脱しない範囲内で種々の変形が可能である。以下、そのような変形例を説明する。【００４０】  （１）個室側にもタグリーダを設けた場合
図４はこの変形例による表示システムを備えたトイレルームの平面図である。図４において、この変形例では、各個室スペース６ａ，６ｂ，６ｃ内の壁面に個室認識手段としての個室別タグリーダ２０ａ，２０ｂ，２０ｃが設けられている。【００４１】  そして、複数個の個室スペース６ａ，６ｂ，６ｃのそれぞれにおいて、各個室スペース６ａ，６ｂ，６ｃに存在する現利用者の所持等する無線タグＴの有無が、個室別タグリーダ２０ａ，２０ｂ，２０ｃ（個室認識手段）によって無線通信を介して認識される。各タグリーダ２０ａ〜ｃは、各配線２４ａ，２４ｂ，２４ｃ及び配線２４を介して相互に接続されている。これにより、各個室スペース６ａ，６ｂ，６ｃの表示装置２２ａ，２２ｂ，２２ｃの表示手段２６には、現利用者ＭＡが利用している当該個室スペース６ｂ以外の他の個室スペース６ａ，６ｃにおける個室別タグリーダ２０ａ，２０ｃ並びに共通スペース４におけるタグリーダ２０の認識結果に応じ、対応する表示がなされるようになっている。【００４２】  図５はこのときの表示手段２６の表示例を表しており、この例では、個室スペース６ｂにおける表示例である。図５において、個室スペース６ｂの現利用者ＭＡが表示されるとともに、当該個室スペース６ｂに隣接する個室スペース６ａに存在する利用者として黒塗り人体記号Ｍ３が表示されており、さらに共通スペース４における所定の順番待ち領域の待ち人として３人の黒塗り人体記号Ｍ１が表示されている。【００４３】  本変形例によれば、現利用者ＭＡが利用している当該個室スペース６ｂ以外の他の個室スペース６ａ，６ｃの空室・満室状況が、当該個室スペース６ｂ内における表示装置２２ｂの表示手段２６に表示できるので、待ち人が出現しても、他の個室が先に空いていることが判れば焦ることなく用を済ませることができる。【００４４】  なおこの場合、図６に示すように、共通スペース４の順番待ち領域にも配線２４ｄを介し接続され表示装置２２ａ〜２２ｃと同様の表示制御手段及び表示手段を備えた共通の表示装置２５を設け、各個室スペース６ａ〜ｃと同様の表示を行うようにしてもよい。図７にはその表示装置２５における表示手段２６の表示例を表しており、この例では、共通スペース４における所定の順番待ち領域で待っている待ち人として３人の黒塗り人体記号Ｍ１が表示され、さらに個室スペース６ａに存在している利用者として黒塗り人体記号Ｍ３が表示され、個室スペース６ｂ及び６ｃが空室であることが表示されている。【００４５】  この場合、各個室スペース６ａ，６ｂ，６ｃでの現利用者に加え、共通スペース４の順番待ち領域で順番待ちしている待ち人が、共通スペース表示装置２５が表示する各個室スペース６ａ，６ｂ，６ｃの空室・満室状況を確認できるという効果がある。【００４６】  尚、前述した共通の表示装置２５は、トイレルーム１外壁のドア１５傍にも共通の表示装置２５’として取付けることができる。これによって利用者は、共通スペース４が満員などの場合に、この表示装置２５’を確認することで入室しなくてもすむ。【００４７】  （２）各個室の前にタグリーダを設けた場合
図８はこの変形例による表示システムを備えたトイレルームの平面図である。図８において、この変形例では、各個室スペース６ａ，６ｂ，６ｃの前にそれぞれ待ち人が待機する場合に対応して、各個室スペース６ａ〜ｃの入口近傍の仕切部材２外壁面に前述したタグリーダ２０と同等の構成であるタグリーダ２３ａ，２３ｂ，２３ｃが設けられている。【００４８】  そして、各個室スペース６ａ，６ｂ，６ｃごとにその前に設けた順番待ち領域に並んだ利用者（待ち人）の所持等する無線タグＴ１〜Ｔ３の有無が、対応する各タグリーダ２３ａ，２３ｂ，２３ｃによって無線通信を介して認識される。各タグリーダ２３ａ，２３ｂ，２３ｃは、配線２４，２４ａ，２４ｂを介して相互に接続されている。これにより、上記実施形態と同様、各個室スペース６ａ，６ｂ，６ｃの表示装置２２ａ，２２ｂ，２２ｃの表示手段２６には、現利用者ＭＡが利用している当該個室スペース６ａ，６ｂ，６ｃに対応したタグリーダ２３ａ，２３ｂ，２３ｃの認識結果に応じた表示がなされるようになっている。【００４９】  図９は、各表示装置２２ａ，２２ｂ，２２ｃの表示手段２６に表示される表示例を示した説明図である。図９の例では、例えば現時点における待ち人として１人の黒塗り人体記号及び破線の人体記号（最大であと１名の利用者Ｍが待機する可能性があることを示す）Ｍａ，Ｍｂ，Ｍｃが表示されている例である。【００５０】  本変形例によれば、各個室スペース６ａ，６ｂ，６ｃの前に待ち人が並ぶ場合についても、上記実施形態と同様の効果を得ることができる。【００５１】  なお、本変形例では各個室スペース６ａ〜ｃの入口近傍にタグリーダ２３ａ，２３ｂ，２３ｃをそれぞれ設けるようにしたが、これに限られず、図１０に示すように共通スペース４に通信範囲が広く前述したタグリーダ２０，２３と同様の構成であるタグリーダ２１を１箇所設け、このタグリーダ２１により順番待ち領域の利用者Ｍが所持等する無線タグＴの有無を認識すると共に、各個室スペース６ａ，６ｂ，６ｃに存在する現利用者の所持等する無線タグＴの有無を認識するようにしてもよい。この場合にも上記変形例と同様の効果を得ることができる。【００５２】  また、以上においては、利用者が所持等する無線タグの有無をタグリーダで認識することにより利用者の有無を認識するようにしたが、これに限られない。例えば磁気センサ、光学式センサ、赤外線センサ、圧力センサ、温度センサ、重量（体重）センサ、静電容量式センサ等の接触又は非接触式の検出手段を用いて利用者の有無を認識するようにしてもよい。さらには、トイレルーム内の画像を取得し当該画像から利用者の有無を認識する画像認識手段等により利用者の有無を認識するようにしてもよい。
【図面の簡単な説明】
【００５３】
【図１】本発明の一実施形態の適用対象であるトイレルームの平面図である。
【図２】システムの全体概略を示すシステム構成図である。
【図３】表示装置に表示される表示例を示した説明図である。
【図４】個室側にもタグリーダを設けた変形例の平面図である。
【図５】表示装置に表示される表示例を示した説明図である。
【図６】共通スペース側にも表示装置を設けた変形例の平面図である。
【図７】表示装置に表示される表示例を示した説明図である。
【図８】各個室の前にタグリーダを設けた変形例の平面図である。
【図９】表示装置に表示される表示例を示した説明図である。
【図１０】共通スペース側に通信範囲の広いタグリーダを設けた変形例の平面図である。
【符号の説明】
【００５４】１                      トイレルーム
２                      仕切部材
４                      共通スペース
６ａ，６ｂ，６ｃ        個室スペース
２０，２１              タグリーダ（共通認識手段）
２０ａ，２０ｂ，２０ｃ  個室別タグリーダ（個室認識手段）
２２ａ，２２ｂ，２２ｃ  表示装置（個室表示手段）
２３ａ，２３ｂ，２３ｃ  タグリーダ（共通認識手段）
２５，２５’            表示装置（共通表示手段）
２８                    高周波回路
３０                    制御回路
Ｔ                      無線タグ
Ｔｐ                    無線タグ回路素子
Ｔ１，Ｔ２，Ｔ３        無線タグ
【図１】
2008126042.tif 000003
【図２】
2008126042.tif 000004
【図３】
2008126042.tif 000005
【図４】
2008126042.tif 000006
【図５】
2008126042.tif 000007
【図６】
2008126042.tif 000008
【図７】
2008126042.tif 000009
【図８】
2008126042.tif 000010
【図９】
2008126042.tif 000011
【図１０】
2008126042.tif 000012